(57)【要約】【課題】コストの増大を抑え、ユーザにその存在を容易に感得させることなくデバッグ情報等を出力できる信号出力装置、及び信号送受信システムを提供する。【解決手段】第１の信号に応じて発光素子２３の輝度を制御し、オンのときには発光素子２３を第１の輝度にて点灯させる。少なくとも第１及び第２の状態を含む第２の信号の入力を受け、第１の輝度にて発光素子２３を点灯させているときに、第２の信号が第１の状態となると、発光素子２３の輝度を第１の輝度とは異なる第２の輝度になるよう制御する。【選択図】図１
2013150078.tif 000002
【特許請求の範囲】
【請求項１】
発光素子と、
第１の信号の入力を受けて、当該第１の信号に応じて、前記発光素子の輝度を制御し、前記第１の信号がオンのときには前記発光素子を第１の輝度にて点灯させる第１輝度制御手段と、
少なくとも第１及び第２の状態を含む第２の信号の入力を受けて、第１の信号に応じて前記第１輝度制御手段が、前記第１の輝度にて前記発光素子を点灯させているときに、前記第２の信号が第１の状態となると、前記発光素子の輝度を第１の輝度とは異なる第２の輝度になるよう制御する第２輝度制御手段と、
を含む信号出力装置。
【請求項２】
請求項１記載の信号出力装置であって、
前記第１の信号がオフとなるときには、前記第１輝度制御手段が、第１，第２の輝度とは異なる第３の輝度となるよう前記発光素子の発光状態を制御する信号出力装置。
【請求項３】
請求項１または２記載の信号出力装置であって、
出力の対象となる出力対象情報の入力を受けて、当該出力対象情報に誤り訂正または誤り検出符号を付加し、第２の信号に符号化する符号化手段をさらに含む信号出力装置。
【請求項４】
請求項１から３のいずれか一項に記載の信号出力装置であって、
前記発光素子は、第１の信号がオフとなるときであって、かつ、前記第２輝度制御手段が、第２の信号に応じた制御をしていないときには、外部から光信号を受信する受光素子として動作する信号出力装置。
【請求項５】
請求項１から４のいずれか一項に記載の信号出力装置であって、
光信号を受信する際には、その点灯状態をオフとする発光素子を備え、
当該発光素子で所定信号を受信すると、前記第２輝度制御手段が第２の信号に応じた輝度の制御を開始する信号出力装置。
【請求項６】
信号出力装置と、信号受信装置とを含み、
前記信号出力装置は、
発光素子と、
第１の信号の入力を受けて、当該第１の信号に応じて、前記発光素子の輝度を制御し、前記第１の信号がオンのときには前記発光素子を第１の輝度にて点灯させる第１輝度制御手段と、
少なくとも第１及び第２の状態を含む第２の信号の入力を受けて、第１の信号に応じて前記第１輝度制御手段が、前記第１の輝度にて前記発光素子を点灯させているときに、前記第２の信号が第１の状態となると、前記発光素子の輝度を第１の輝度とは異なる第２の輝度になるよう制御する第２輝度制御手段と、
を含み、
前記信号受信装置は、前記信号出力装置の発光素子の輝度を検出する手段と、
前記検出した輝度に基づいて、出力の対象となった第２の信号を復号する復号手段と、
を含む信号送受信システム。
【発明の詳細な説明】
【技術分野】
【０００１】
本発明は、発光素子を利用して信号を出力する信号出力装置及び信号送受信システムに関する。
【背景技術】
【０００２】
近年ではさまざまな機器が電気的に制御されている。こうした機器に異常が生じたときには、どのような異常が生じたのかなどを表すデバック情報を、機器から取り出し、このデバッグ情報を利用して機器を診断することも行われている。
【０００３】
ところでこのデバッグ情報をとり出すため、従来、機器側の基板にコネクタを設けるなどしておく例がある。しかしながらこの場合は、コネクタを設けるためにコストが増大し、また悪意あるユーザによってコネクタを介して機器内部を制御されることがあるなど、機器の改変の恐れがあった。一方、発光素子を使用してデバッグ情報を光信号として出力させることも考えられるが、この場合はデバッグ情報を出力するための専用の発光素子を別途設ける必要があり、結局コネクタを設ける場合と同じ課題が生じる。
【０００４】
なお、受光素子と発光素子を並列的に配置して受光を行う場合に、ＬＥＤで表示を行いつつセンサとして機能させることはできなかったとの課題認識の下、半導体発光素子を点灯させる点灯モードと、消灯してセンサとして機能させるセンサモードとを高速に時分割で切り替えることで、情報表示とセンサ機能とを両立したとの技術が特許文献１に開示されている。
【先行技術文献】
【特許文献】
【０００５】
【特許文献１】特開2007-206449号公報
【発明の概要】
【発明が解決しようとする課題】
【０００６】
以上のように、上記従来の機器においては、デバッグ情報を出力するための構成を別途設けることとなり、コスト増や悪戯に対する懸念があった。
【０００７】
本発明は上記実情に鑑みて為されたもので、コストの増大を抑え、ユーザにその存在を容易に感得させることなくデバッグ情報等を出力できる信号出力装置、及び信号送受信システムを提供することを、その目的の一つとする。
【課題を解決するための手段】
【０００８】
上記従来例の問題点を解決するための本発明は、信号出力装置であって、発光素子と、第１の信号の入力を受けて、当該第１の信号に応じて、前記発光素子の輝度を制御し、前記第１の信号がオンのときには前記発光素子を第１の輝度にて点灯させる第１輝度制御手段と、少なくとも第１及び第２の状態を含む第２の信号の入力を受けて、第１の信号に応じて前記第１輝度制御手段が、前記第１の輝度にて前記発光素子を点灯させているときに、前記第２の信号が第１の状態となると、前記発光素子の輝度を第１の輝度とは異なる第２の輝度になるよう制御する第２輝度制御手段と、を含むこととしたものである。
【０００９】
このように第１、第２の２つの信号を一つの発光素子で表示可能とすることで、例えばデバッグ情報を別の情報とともに発光素子を介して出力でき、コストの増大を抑え、ユーザにその存在を容易に感得させることなくデバッグ情報等を出力できる。
【００１０】
ここで前記第１の信号がオフとなるときには、前記第１輝度制御手段が、第１，第２の輝度とは異なる第３の輝度となるよう前記発光素子の発光状態を制御することとしてもよい。これにより第２の信号によらず第１の信号のオフの状態を明確に出力できる。
【００１１】
さらに出力の対象となる出力対象情報の入力を受けて、当該出力対象情報に誤り訂正または誤り検出符号を付加し、第２の信号に符号化する符号化手段をさらに含んでもよい。これにより出力対象情報を、誤り検出ないし訂正可能にできる。
【００１２】
また前記発光素子は、第１の信号がオフとなるときであって、かつ、前記第２輝度制御手段が、第２の信号に応じた制御をしていないときには、外部から光信号を受信する受光素子として動作するようにしてもよい。これにより発光素子を受光素子としても機能させることが可能となる。
【００１３】
さらに光信号を受信する際には、その点灯状態をオフとする発光素子を備え、当該発光素子で所定信号を受信すると、前記第２輝度制御手段が第２の信号に応じた輝度の制御を開始することとしてもよい。これによりデバッグ情報等の出力指示の入力を、発光素子自身に行わせることができる。
【００１４】
また本発明の一態様に係る信号送受信システムは、信号出力装置と、信号受信装置とを含み、前記信号出力装置は、発光素子と、第１の信号の入力を受けて、当該第１の信号に応じて、前記発光素子の輝度を制御し、前記第１の信号がオンのときには前記発光素子を第１の輝度にて点灯させる第１輝度制御手段と、少なくとも第１及び第２の状態を含む第２の信号の入力を受けて、第１の信号に応じて前記第１輝度制御手段が、前記第１の輝度にて前記発光素子を点灯させているときに、前記第２の信号が第１の状態となると、前記発光素子の輝度を第１の輝度とは異なる第２の輝度になるよう制御する第２輝度制御手段と、を含み、前記信号受信装置は、前記信号出力装置の発光素子の輝度を検出する手段と、前記検出した輝度に基づいて、出力の対象となった第２の信号を復号する復号手段と、を含むこととしたものである。
【発明の効果】
【００１５】
本発明によると、第１、第２の２つの信号を一つの発光素子で表示可能とし、コストの増大を抑え、ユーザにその存在を容易に感得させることなくデバッグ情報等を出力できる。
【図面の簡単な説明】
【００１６】
【図１】本発明の実施の形態に係る情報送受信システムの構成例を表すブロック図である。
【図２】本発明の実施の形態に係る信号出力装置の一例に係る発光制御回路の例を表す回路図である。
【図３】本発明の実施の形態に係る信号出力装置の一例に係る発光制御回路の動作を表す説明図である。
【図４】本発明の実施の形態に係る信号出力装置の別の例に係る発光制御回路の例を表す回路図である。
【図５】本発明の実施の形態に係る信号出力装置の別の例に係る発光制御回路の動作を表す説明図である。
【図６】本発明の実施の形態に係る信号出力装置のさらに別の例に係る発光制御回路の例を表す回路図である。
【図７】本発明の実施の形態に係る信号出力装置のさらに別の例に係る発光制御回路の動作を表す説明図である。
【図８】本発明の実施の形態に係る信号出力装置が出力する光信号の例を表す説明図である。
【図９】本発明の実施の形態に係る信号出力装置のまたさらに別の例に係る発光制御回路の例を表す回路図である。
【図１０】本発明の実施の形態に係る信号出力装置のまたさらに別の例に係る発光制御回路の動作を表す説明図である。
【発明を実施するための形態】
【００１７】
本発明の実施の形態について図面を参照しながら説明する。本発明の実施の形態（本実施の形態）に係る情報送受信システム１は、図１に例示するように、信号出力装置２と、信号受信装置３とを含んで構成される。ここで信号出力装置２は、ハードディスク装置、家庭用テレビに接続される映像機器、オーディオ機器、携帯端末機器、その他種々の機器であり、各機器に固有の機能を実現する機能部２１と、発光制御回路２２と、発光素子２３とを含んで構成されている。信号受信装置３は、マイクロコンピュータ３１と、発光素子３２と、受光素子３３と、情報出力部３４とを含んで構成されている。
【００１８】
信号出力装置２の機能部２１は、機器としての機能を実現するものであり、例えばハードディスク装置であれば、外部からのデータ書込み指示を受けてハードディスクに当該指示されたデータを書込み、また外部からのデータ読み出し指示を受けてハードディスクから指示されたデータを読み出して出力する。さらに機能部２１は、発光素子２３を介して出力されるべき複数の信号を、発光制御回路２２に対して出力している。
【００１９】
ここで複数の信号は少なくとも「Ｌ」または「Ｈ」の状態など、第１、第２の状態を含む多値の信号であるとする。その一つの例は、通電状態（電源のオン／オフ）を表す信号であってもよい。また別の信号の例としてはデバッグ情報を表す信号や、ハードディスクへのアクセスが行われているときにオンとなる信号、同調中のチャンネルを表す多セグメントのＬＥＤ（Light Emission Diode）の一つのセグメントのオン／オフに係る信号などである。これら各信号において、「Ｌ」や「Ｈ」の共通端子（ＧＮＤ）からの電位は、必ずしも同じでなくてもよい。例えば通電状態を表す信号においては「Ｌ」時と「Ｈ」時との電位差は３．３Ｖであるが、別の信号の例としてのデバッグ情報を表す信号では「Ｌ」時と「Ｈ」時との電位差を１．８Ｖとしてもよい。
【００２０】
本実施の形態のある態様では、機能部２１は、電源がオンである間、通電状態を表す信号など、いずれか一つの信号（第１の信号とする）を出力し続ける。そして機能部２１は、利用者の指示により、あるいは予め定めたタイミングが到来したときに、第１の信号に重ね合わせて出力するべき信号として、第１の信号とは異なる信号（第２の信号）を出力する。
【００２１】
発光制御回路２２は、機能部２１から入力される複数の信号の一つを第１の信号、もう一つを第２の信号として、当該第１の信号に応じて、発光素子２３のオン／オフを制御する。具体的に発光制御回路２２は、第１の信号がオンのときには発光素子２３を第１の輝度にて点灯させる第１輝度制御手段として動作する。
【００２２】
またこの発光制御回路２２は、機能部２１が第２の信号を出力しているときには、第２の信号に応じて発光素子２３の輝度を制御する。例えば発光制御回路２２は、第１の信号に応じて発光素子２３が第１の輝度にて点灯されているときに、第２の信号が予め定められた第１の状態（例えば「Ｈ」の状態）となると、発光素子２３の輝度を、第１の輝度とは異なる第２の輝度（消灯の状態、つまり輝度０の状態でもよい）になるよう制御する第２輝度制御手段としても動作する。なお、第２信号が多値の信号である場合は、各値の輝度で点灯するよう制御すればよい。このときには第２の信号を受信する側では、発光素子２３がどの輝度で点灯しているかを調べることで、第２の信号を復元することになる。以下では説明のため、第２信号は二値の信号であるものとして説明する。
発光素子２３は、ＬＥＤ（Light Emission Diode）等、通電電流量によって輝度を制御可能な発光素子である。
【００２３】
次に、発光制御回路２２及び発光素子２３の具体的態様の一つについて、図２を参照しつつ説明する。図２に示した発光制御回路２２は、第１トランジスタＱ１、第２トランジスタＱ２、第１抵抗器Ｒ１、及び第２抵抗器Ｒ２を含んで構成される。ここで第１，第２のトランジスタＱ１，Ｑ２はいずれもｎ型ＦＥＴ（電界効果トランジスタ）である。ここで第１抵抗器Ｒ１の一端は電源電位に接続されている。またこの第１抵抗器Ｒ１の他端側は発光素子２３の一端側に接続される。
【００２４】
発光素子２３の他端側には第２トランジスタＱ２のドレイン端子（Ｄ）に接続されている。またこの第２トランジスタＱ２のゲート端子（Ｇ）は、第２の信号の入力を受ける。ここでの例では第１の信号と第２の信号とは、いずれも電気的にＨ（ハイ）、またはＬ（ロー）のいずれかの状態（第１及び第２の状態のいずれかの状態）となる信号であるとする。なお、既に述べたように、第１の信号と第２の信号とはそれぞれの「Ｌ」時と「Ｈ」時との電位が同じでなくてもよい。例えば第１の信号は３．３Ｖｐ-ｐで変化し、第２の信号は１．８Ｖｐ-ｐで変化してもよい。以下の説明ではいずれにおいても同じとする。
【００２５】
さらに発光素子２３の他端側、つまり第２トランジスタＱ２のドレイン端子（Ｄ）は、さらに第２抵抗器Ｒ２を介して第１トランジスタＱ１のドレイン端子（Ｄ）に接続される。この第１トランジスタＱ１のゲート端子（Ｇ）は第１の信号の入力を受ける。また第１、第２のトランジスタＱ１，Ｑ２のソース端子（Ｓ）はいずれも共通端子（ＧＮＤ）に接続される。電源電位は電源により、この共通端子の電位から予め定めた電位だけ高い電位に維持される。これらのうち抵抗器Ｒ１、Ｒ２及び第１のトランジスタＱ１が第１輝度制御手段に相当し、第２のトランジスタＱ２が第２輝度制御手段に相当する。
【００２６】
この図２に例示した回路において、第１の信号がオン（Ｈ）の状態となり、第２の信号がオフ（Ｌ）の状態であると、第１トランジスタＱ１のドレイン端子（Ｄ）とソース端子（Ｓ）との間が導通し、第２トランジスタＱ２は、そのドレイン端子（Ｄ）とソース端子（Ｓ）間は導通しない。従ってこの状態では第１の抵抗器Ｒ１を介して発光素子２３を通過した電流ｉは、第２の抵抗器Ｒ２を介して共通端子（ＧＮＤ）に至る。つまり発光素子２３を流れる電流量は、発光素子２３の内部抵抗ｒ（発光素子２３は、素子に抵抗が直列に接続されているものとしてもよく、この場合は素子の内部抵抗と、直列接続された抵抗との和が内部抵抗ｒとなる）と、第１、第２抵抗器Ｒ１，Ｒ２の抵抗値の和で決まる値となる。
【００２７】
一方、第１の信号がオン（Ｈ）の状態となり、第２の信号もオン（Ｈ）の状態（第１の状態に相当する）であると、第１トランジスタＱ１のドレイン端子（Ｄ）とソース端子（Ｓ）との間が導通し、第２トランジスタＱ２も、そのドレイン端子（Ｄ）とソース端子（Ｓ）間が導通する。この場合（第２トランジスタＱ２の内部抵抗が、第２抵抗器Ｒ２の抵抗値に比べて無視できるとすれば）、電流は第１の抵抗器Ｒ１、発光素子２３を通過して、第２トランジスタＱ２のソースからドレインへ流れ、そのまま共通端子（ＧＮＤ）に至る。つまり発光素子２３を流れる電流量は発光素子２３の内部抵抗ｒと、第１の抵抗器Ｒ１の抵抗値の和で決まる値となる。これは、発光素子２３の内部抵抗ｒと、第１、第２抵抗器Ｒ１，Ｒ２の抵抗値の和で決まる値よりも大きい値である。
【００２８】
ここで第２抵抗器Ｒ２の抵抗値はゼロでないので、第１の信号がオンである状態でも、第２の信号がオンまたはオフとなることで発光素子２３に流れる電流量は変化し、従ってその輝度は変化する。ここでは第１の信号がオン（Ｈ）の状態となり、第２の信号がオフ（Ｌ）の状態であるときの発光素子２３の輝度が第１の輝度に相当し、これとは異なる第２の輝度は、第１の信号、第２の信号がともにオン（Ｈ）の状態であるときの発光素子２３の輝度に相当する。ここでは第１の輝度よりも第２の輝度のほうが流れる電流量が大きく、より明るく発光している状態になる。
【００２９】
さらに、第１の信号と第２の信号とがいずれもオフ（Ｌ）の状態であると、第１トランジスタＱ１のドレイン端子（Ｄ）とソース端子（Ｓ）との間も、第２トランジスタＱ２のドレイン端子（Ｄ）とソース端子（Ｓ）との間も導通しない状態となるので、発光素子２３には電流は流れないこととなる。つまり発光素子２３の輝度は「０」となる。この例では、この輝度（輝度「０」）が第３の輝度に相当する。
【００３０】
そしてこの第１信号がオフ（Ｌ）のときに、第２の信号がオン（Ｈ）になると、第２トランジスタＱ２のドレイン端子（Ｄ）とソース端子（Ｓ）間が導通するので（第２トランジスタＱ２の内部抵抗を無視できるとすれば）、電流は第１の抵抗器Ｒ１、発光素子２３を通過して、第２トランジスタＱ２のソースからドレインへ流れ、そのまま共通端子（ＧＮＤ）に至ることとなる。つまり発光素子２３を流れる電流量は発光素子２３の内部抵抗ｒと、第１の抵抗器Ｒ１の抵抗値の和で決まる値となる。このときの輝度は、第１の信号がオン（Ｈ）の状態となり、第２の信号もオン（Ｈ）の状態である場合と変わらず、第２の輝度となる。
【００３１】
すなわちこの図２に例示した回路によると、第１、第２の信号の状態に応じて図３に例示するように発光素子２３の発光輝度が変化することとなる。つまり、第２の信号が「Ｈ」の場合は、第１の信号が「Ｈ」であると「Ｌ」であるとに関わらず発光素子２３は第２の輝度で発光する。また第２の信号が「Ｌ」の場合は、第１の信号が「Ｈ」であるときに発光素子２３は第１の輝度で発光し、第１の信号が「Ｌ」であるときには発光素子２３の輝度は「０」（第３の輝度）となる。
【００３２】
また発光制御回路２２及び発光素子２３の具体的態様は、図２に示した例に限られない。本実施の形態における発光制御回路２２及び発光素子２３の別の例を図４（ａ），（ｂ）に示す。この図４（ａ）に示した発光制御回路２２は、第１トランジスタＱ１、第２トランジスタＱ２、第１抵抗器Ｒ１、第２抵抗器Ｒ２、インバータ回路Ｌ１，Ｌ２を含んで構成される。ここで第１抵抗器Ｒ１の一端は電源電位に接続されている。またこの第１抵抗器Ｒ１の他端側は発光素子２３の一端側に接続される。
【００３３】
発光素子２３の他端側には第１トランジスタＱ１のドレイン端子（Ｄ）に接続されている。またこの第１トランジスタＱ１のゲート端子（Ｇ）は、インバータ回路Ｌ１を介して第１の信号が入力される。ここでの例でも第１の信号と第２の信号とは、いずれも電気的にＨ（ハイ）、またはＬ（ロー）のいずれかの状態（第１及び第２の状態のいずれかの状態）となる信号であるとする。
【００３４】
さらに発光素子２３の他端側、つまり第１トランジスタＱ１のドレイン端子（Ｄ）は、さらに第２抵抗器Ｒ２を介して第２トランジスタＱ２のドレイン端子（Ｄ）に接続される。この第２トランジスタＱ２のゲート端子（Ｇ）はインバータ回路Ｌ２を介して第２の信号の入力を受ける。また第１のトランジスタＱ１のソース端子（Ｓ）は、第２のトランジスタＱ２のドレイン端子（Ｄ）に接続され、第２のトランジスタＱ２のソース端子（Ｓ）は共通端子（ＧＮＤ）に接続される。電源電位は電源により、この共通端子の電位から予め定めた電位だけ高い電位に維持される。これらのうち抵抗器Ｒ１、Ｒ２及び第１のトランジスタＱ１が第１輝度制御手段に相当し、第２のトランジスタＱ２が第２輝度制御手段に相当する。
【００３５】
この図４（ａ）に例示した回路において、第１の信号がオン（Ｈ）の状態となり、第２の信号がオフ（Ｌ）の状態であると、第１トランジスタＱ１のゲート端子（Ｇ）にはインバータ回路Ｌ１を通じてオフの信号が入力される。従って第１トランジスタＱ１のドレイン端子（Ｄ）とソース端子（Ｓ）との間が導通しない状態となる。一方、第２トランジスタＱ２のゲート端子（Ｇ）には、インバータ回路Ｌ２を通じてオン（Ｈ）の信号が入力される。従って第２トランジスタＱ２のドレイン端子（Ｄ）とソース端子（Ｓ）間が導通するので（第２トランジスタＱ２の内部抵抗を無視できるとすれば）、電流は第１の抵抗器Ｒ１、発光素子２３、第２の抵抗器Ｒ２を通過して、第２トランジスタＱ２のソースからドレインへ流れて共通端子（ＧＮＤ）に至ることとなる。つまり発光素子２３を流れる電流量は、発光素子２３の内部抵抗ｒと、第１の抵抗器Ｒ１と、第２の抵抗器Ｒ２との抵抗値の和で決まる値となる。
【００３６】
一方、第１の信号がオン（Ｈ）の状態となり、第２の信号もオン（Ｈ）の状態であると、インバータ回路Ｌ１，Ｌ２の働きにより、第１トランジスタＱ１と第２トランジスタＱ２とのいずれのゲート端子（Ｇ）もオフ（Ｌ）の状態となるので、第１トランジスタＱ１のドレイン端子（Ｄ）、ソース端子（Ｓ）間も、第２トランジスタＱ２のドレイン端子（Ｄ）、ソース端子（Ｓ）間も導通しない状態となる。つまり、発光素子２３には電流は流れないこととなり、発光素子２３の輝度は「０」となる。この例では、この輝度（輝度「０」）が第３の輝度に相当する。
【００３７】
さらに第１の信号と第２の信号とがいずれもオフ（Ｌ）の状態であると、インバータ回路Ｌ１，Ｌ２の働きにより、第１トランジスタＱ１と第２トランジスタＱ２とのいずれのゲート端子（Ｇ）も「Ｈ」の状態となるので、第１トランジスタＱ１のドレイン端子（Ｄ）、ソース端子（Ｓ）間も、第２トランジスタＱ２のドレイン端子（Ｄ）、ソース端子（Ｓ）間も導通した状態となる。この場合は（第１トランジスタＱ１の内部抵抗が、第２抵抗器Ｒ２の抵抗値に比べて無視できるとすれば）、電流は第１の抵抗器Ｒ１、発光素子２３を通過して、第１トランジスタＱ１のドレイン端子（Ｄ）からソース端子（Ｓ）へ流れ、さらに第２トランジスタＱ２のドレイン端子（Ｄ）からソース端子（Ｓ）へ流れて共通端子（ＧＮＤ）に至ることとなる。つまり発光素子２３を流れる電流量は、発光素子２３の内部抵抗ｒと、第１の抵抗器Ｒ１の抵抗値の和で決まる値となる。この電流量は、発光素子２３の内部抵抗ｒと、第１の抵抗器Ｒ１と、第２の抵抗器Ｒ２との抵抗値の和で決まる値よりも大きい。したがって、このときの発光素子２３の輝度は、この図４（ａ）で第１の信号がオン（Ｈ）でありかつ第２の信号がオフ（Ｌ）である状態における発光素子２３の輝度（第１の輝度）よりも明るい輝度（第２の輝度）となる。
【００３８】
また第１の信号がオフ（Ｌ）のときに、第２の信号がオン（Ｈ）になると、第１トランジスタＱ１のゲート端子（Ｇ）にはインバータ回路Ｌ１を通じてオン（Ｈ）の信号が入力される。従ってドレイン端子（Ｄ）とソース端子（Ｓ）との間が導通した状態となる。一方、第２トランジスタＱ２のゲート端子（Ｇ）には、インバータ回路Ｌ２を通じてオフ（Ｌ）の信号が入力される。従って第２トランジスタＱ２のドレイン端子（Ｄ）とソース端子（Ｓ）間が導通しない状態となる。そこで第１の抵抗器Ｒ１を介して発光素子２３を通過した電流ｉは、第１トランジスタＱ１のドレイン端子（Ｄ）からソース端子（Ｓ）へ流れ、第２トランジスタＱ２のドレイン端子（Ｄ）に至る。しかし、第２トランジスタＱ２はオフであるので、発光素子２３を流れる電流量は「０」となり、発光素子２３の輝度は「０」（第３の輝度）となる。
【００３９】
すなわちこの図４（ａ）に例示した回路によると、第１、第２の信号の状態に応じて図５に例示するように発光素子２３の発光輝度が変化することとなる。つまり第１の信号が「Ｈ」であるとき、第２の信号が「Ｌ」の場合は、発光素子２３は第１の輝度で発光し、第１の信号が「Ｈ」であるときに第２の信号が「Ｈ」となると、発光素子２３は第３の輝度となる。ここでは既に述べたように、輝度が「０」である状態が第３の輝度となる。
【００４０】
一方、第１の信号が「Ｌ」の場合は、第２の信号が「Ｈ」であると発光素子２３の輝度は第３の輝度となり、第１の信号が「Ｌ」であり、かつ第２の信号が「Ｌ」であると発光素子２３の輝度は第２の輝度となる。
なお、ここでは第１の信号がインバータＬ１を介して第１トランジスタＱ１のゲート端子（Ｇ）に入力されているが、このインバータＬ１は、必ずしも必要ではない。
【００４１】
また発光制御回路２２は図４（ｂ）に示すものであってもよい。この図４（ｂ）に示す発光制御回路２２は、第１トランジスタＱ１、第２トランジスタＱ２、第３トランジスタＱ３、第１抵抗器Ｒ１、第２抵抗器Ｒ２、第３抵抗器Ｒ３、インバータ回路Ｌ１を含んで構成される。これら第１，第２のトランジスタＱ１，Ｑ２はいずれもｎ型ＦＥＴ（電界効果トランジスタ）であり、第３のトランジスタＱ３はｐ型ＦＥＴである。
【００４２】
図４（ｂ）の回路では、第１抵抗器Ｒ１の一端は電源電位に接続されている。またこの第１抵抗器Ｒ１の他端側は第１トランジスタＱ１のドレイン端子（Ｄ）と、第３トランジスタＱ３のゲート端子（Ｇ）とに接続される。なお第１トランジスタＱ１のゲート端子（Ｇ）には、インバータ回路Ｌ１を介して第２の信号が入力される。
【００４３】
第３トランジスタＱ３のソース端子（Ｓ）は、電源電位に接続され、この第３トランジスタＱ３のドレイン端子（Ｄ）は、第３抵抗器Ｒ３を介して発光素子２３の一端側に接続される。さらに発光素子２３の他端側は、第２トランジスタＱ２のドレイン端子（Ｄ）に接続されるとともに、第２抵抗器Ｒ２を介して共通端子（ＧＮＤ）に接続される。
【００４４】
第２トランジスタＱ２のゲート端子（Ｇ）には、第１の信号が入力される。またこの第２トランジスタＱ２のソース端子（Ｓ）は共通端子（ＧＮＤ）に接続されている。
【００４５】
ここでの例でも第１の信号と第２の信号とは、いずれも電気的にＨ（ハイ）、またはＬ（ロー）のいずれかの状態（第１及び第２の状態のいずれかの状態）となる信号であるとする。
【００４６】
電源電位は電源により、この共通端子の電位から予め定めた電位だけ高い電位に維持される。これらのうち抵抗器Ｒ２及び第２のトランジスタＱ２が第１輝度制御手段に相当し、第１，第３のトランジスタＱ１，Ｑ３が第２輝度制御手段に相当する。
【００４７】
この図４（ｂ）に例示した回路において、第１の信号がオン（Ｈ）の状態であると、第２トランジスタＱ２のゲート端子（Ｇ）にはオン（Ｈ）の信号が入力される。従って第２トランジスタＱ２のドレイン端子（Ｄ）とソース端子（Ｓ）との間は導通した状態となる。
【００４８】
このように第１の信号がオン（Ｈ）であるとき、第２の信号がオフ（Ｌ）となっていると、第１トランジスタＱ１のゲート端子（Ｇ）には、インバータ回路Ｌ１を介してオン（Ｈ）の信号が入力される。従って第１トランジスタＱ１のドレイン端子（Ｄ）とソース端子（Ｓ）間が導通し、第３トランジスタＱ３のゲート端子（Ｇ）の電位は共通端子（ＧＮＤ）に接続され、第３トランジスタＱ３がオンとなる。
【００４９】
そこで、電流は第３トランジスタＱ３を通じて発光素子２３へ供給され、さらに発光素子２３と第２のトランジスタＱ２とを通過して共通端子（ＧＮＤ）に至る。つまり発光素子２３を流れる電流量は、発光素子２３の内部抵抗ｒと第３抵抗器Ｒ３の抵抗値との和で決まる値となる。
【００５０】
一方、第１の信号がオン（Ｈ）であるとき、第２の信号がオン（Ｈ）の状態になると、インバータ回路Ｌ１を通じて第１トランジスタＱ１のゲート端子（Ｇ）がオフ（Ｌ）の状態となる。そこで、第１トランジスタＱ１のドレイン端子（Ｄ）、ソース端子（Ｓ）間が導通しない状態となる。
【００５１】
すると、第３トランジスタＱ３のゲート端子（Ｇ）が共通端子（ＧＮＤ）より高い電位となってオン（Ｈ）となり、第３トランジスタＱ３のソース端子（Ｓ）とドレイン端子（Ｄ）との間の導通がなくなる。このため発光素子２３には電流が流れず、発光素子２３の輝度は「０」となる。ここではこの輝度が第３の輝度に相当する。
【００５２】
また第１の信号がオフ（Ｌ）の状態であると、第２トランジスタＱ２のゲート端子（Ｇ）にはオフ（Ｌ）の信号が入力される。従って第２トランジスタＱ２のドレイン端子（Ｄ）とソース端子（Ｓ）との間は導通しない状態となる。
【００５３】
このとき第２の信号がオフ（Ｌ）の状態であると、第１トランジスタＱ１のゲート端子（Ｇ）には、インバータ回路Ｌ１の働きによりオン（Ｈ）の信号が入力される。そして第１トランジスタＱ１のドレイン端子（Ｄ）とソース端子（Ｓ）との間が導通する。この場合、第３トランジスタＱ３のゲート端子（Ｇ）は共通端子（ＧＮＤ）に接続されたことになり、第３トランジスタＱ３がオンとなる。
【００５４】
そこで、電流は第３トランジスタＱ３と第３抵抗器Ｒ３とを通じて発光素子２３へ供給され、さらに発光素子２３と第２の抵抗器Ｒ２とを通過して共通端子（ＧＮＤ）に至る。つまり発光素子２３を流れる電流量は、第３抵抗器Ｒ３の抵抗値と、発光素子２３の内部抵抗ｒと、第２の抵抗器Ｒ２との抵抗値の和で決まる値となる。この値は、内部抵抗ｒと第３抵抗器Ｒ３の抵抗値との和で決まる値よりも大きくなり、従って発光素子２３の輝度は、第１の信号がオン（Ｈ）、第２の信号がオフ（Ｌ）であるときの輝度（第１の輝度）より明るい、第２の輝度となる。
【００５５】
また、第１の信号がオフ（Ｌ）の状態であるときに、第２の信号がオン（Ｈ）の状態になると、インバータ回路Ｌ１を通じて第１トランジスタＱ１のゲート端子（Ｇ）がオフ（Ｌ）の状態となる。そこで、第１トランジスタＱ１のドレイン端子（Ｄ）、ソース端子（Ｓ）間が導通しない状態となる。
【００５６】
すると、第３トランジスタＱ３のゲート端子（Ｇ）が共通端子（ＧＮＤ）より高い電位となってオン（Ｈ）となり、第３トランジスタＱ３のソース端子（Ｓ）とドレイン端子（Ｄ）との間の導通がなくなる。このため発光素子２３には電流が流れず、発光素子２３の輝度は「０」（第３の輝度）となる。
【００５７】
すなわちこの図４（ｂ）に例示した回路によると、第１、第２の信号の状態に応じて図５に例示した、図４（ａ）の例と同じように発光素子２３の発光輝度が変化することとなる。
【００５８】
さらに別の発光制御回路２２及び発光素子２３の具体的態様を図６に示す。図６の例では、発光制御回路２２は、ＡＮＤ回路Ａと、第１トランジスタＱ１、第２トランジスタＱ２、第３トランジスタＱ３と、第１抵抗器Ｒ１、及び第２抵抗器Ｒ２を含んで構成される。ここで第１抵抗器Ｒ１の一端は電源電位に接続されている。またこの第１抵抗器Ｒ１の他端側は発光素子２３の一端側に接続される。この例ではトランジスタＱ１乃至Ｑ３はいずれもｎ型ＦＥＴである。
【００５９】
また発光素子２３の他端側には第２トランジスタＱ２のドレイン端子（Ｄ）に接続されている。一方、第１の信号と第２の信号との入力を受けて、これらの論理積に相当する信号を出力するＡＮＤ回路Ａの出力が、第２トランジスタＱ２のゲート端子（Ｇ）に接続される。ここでの例でも第１の信号と第２の信号とは、いずれも電気的にＨ（ハイ）、またはＬ（ロー）のいずれかの状態（第１及び第２の状態のいずれかの状態）となる信号であるとし、ＡＮＤ回路Ａは、両者が「Ｈ」のときに限り、その出力が「Ｈ」となり、それ以外の場合はその出力は「Ｌ」となる。
【００６０】
さらに発光素子２３の他端側、つまり第２トランジスタＱ２のドレイン端子（Ｄ）は、さらに第２抵抗器Ｒ２を介して第１トランジスタＱ１のドレイン端子（Ｄ）に接続される。この第１トランジスタＱ１のドレイン端子（Ｄ）と等電位の仮想的な端子を、以下、端子Ｘとする。この第１トランジスタＱ１のゲート端子（Ｇ）は第１の信号の入力を受けている。さらに、この第１トランジスタＱ１のドレイン端子（Ｄ）（端子Ｘ）には、第３トランジスタＱ３のドレイン端子（Ｄ）が接続される。この第３トランジスタＱ３のゲート端子（Ｇ）には第２の信号が入力される。
【００６１】
さらにこれら第１、第２、第３のトランジスタＱ１，Ｑ２，Ｑ３のソース端子（Ｓ）はいずれも共通端子（ＧＮＤ）に接続される。電源電位は電源により、この共通端子の電位から予め定めた電位だけ高い電位に維持される。これらのうち抵抗器Ｒ１、Ｒ２及び第１のトランジスタＱ１が第１輝度制御手段に相当し、第２のトランジスタＱ２，第３のトランジスタＱ３が第２輝度制御手段に相当する。
【００６２】
この図６に例示した回路において、第１の信号がオン（Ｈ）の状態となり、第２の信号がオフ（Ｌ）の状態であると、第１トランジスタＱ１のゲート端子（Ｇ）に「Ｈ」の信号が入力されてドレイン端子（Ｄ）とソース端子（Ｓ）との間が導通した状態となる。ＡＮＤ回路Ａの出力は「Ｌ」となり、第２トランジスタＱ２のゲート端子（Ｇ）には、第２の信号（「Ｌ」の状態）が入力される。従って第２トランジスタＱ２，第３トランジスタＱ３のドレイン端子（Ｄ）とソース端子（Ｓ）間はいずれも導通しない状態となる。
【００６３】
従って第１の信号がオン（Ｈ）の状態となり、第２の信号がオフ（Ｌ）の状態であると、第１の抵抗器Ｒ１を介して発光素子２３を通過した電流ｉは、第２の抵抗器Ｒ２を介して共通端子（ＧＮＤ）に至る。つまり発光素子２３を流れる電流量は発光素子２３の内部抵抗ｒと、第１、第２抵抗器Ｒ１，Ｒ２の抵抗値の和で決まる値となる。
【００６４】
第１の信号がオン（Ｈ）の状態となり、第２の信号もオン（Ｈ）の状態であると、ＡＮＤ回路Ａの出力は「Ｈ」となる。このときには、第１，第２，第３トランジスタＱ１，Ｑ２，Ｑ３のいずれのゲート端子（Ｇ）も「Ｈ」の状態となるので、第１，第２，第３トランジスタＱ１，Ｑ２，Ｑ３のいずれのドレイン端子（Ｄ）、ソース端子（Ｓ）間も導通した状態となる。この場合は（第２トランジスタＱ２の内部抵抗を無視できるとすれば）、電流は第１の抵抗器Ｒ１、発光素子２３を通過して、第２トランジスタＱ２のソースからドレインへ流れ、そのまま共通端子（ＧＮＤ）に至ることとなる。つまり発光素子２３を流れる電流量は発光素子２３の内部抵抗ｒと、第１の抵抗器Ｒ１の抵抗値の和で決まる値となる。この値は、発光素子２３の内部抵抗ｒと、第１、第２抵抗器Ｒ１，Ｒ２の抵抗値の和で決まる値よりも大きい。つまり、第１の信号がオン（Ｈ）の状態となり、第２の信号もオン（Ｈ）の状態であるときの発光素子２３の輝度は、第１の信号がオン（Ｈ）の状態となり、第２の信号がオフ（Ｌ）の状態であるときの発光素子２３の輝度（第１の輝度）よりも明るい輝度（第２の輝度）となる。
【００６５】
さらに第１の信号と第２の信号とがいずれもオフ（Ｌ）の状態であると、ＡＮＤ回路Ａの出力は「Ｌ」となる。このとき第１，第２，第３トランジスタＱ１，Ｑ２，Ｑ３のいずれのゲート端子（Ｇ）も「Ｌ」の状態となるので、第１，第２，第３トランジスタＱ１，Ｑ２，Ｑ３のいずれのドレイン端子（Ｄ）、ソース端子（Ｓ）間も導通しない状態となる。従って発光素子２３の輝度は「０」（第３の輝度）となる。
【００６６】
また第１の信号がオフ（Ｌ）のときに、第２の信号がオン（Ｈ）になるときにはＡＮＤ回路Ａの出力は「Ｌ」となる。第１，第２トランジスタＱ１，Ｑ２の各ゲート端子（Ｇ）には「Ｌ」の信号が入力されて、これら第１，第２トランジスタＱ１，Ｑ２のドレイン端子（Ｄ）とソース端子（Ｓ）との間が導通しない状態となる。しかし第３トランジスタＱ３のゲート端子（Ｇ）は「Ｈ」の状態となるので、第３トランジスタＱ３のいずれのドレイン端子（Ｄ）、ソース端子（Ｓ）間は導通した状態となる。このときは、電流は第１の抵抗器Ｒ１、発光素子２３を通過して、第３トランジスタＱ３のソースからドレインへ流れ、そのまま共通端子（ＧＮＤ）に至ることとなる。つまり発光素子２３を流れる電流量は発光素子２３の内部抵抗ｒと、第１の抵抗器Ｒ１の抵抗値の和で決まる値となる。つまり、このときの発光素子２３の輝度は第１の輝度と同じである。
【００６７】
すなわちこの図６に例示した回路によると、第１、第２の信号の状態に応じて図７に例示するように発光素子２３の発光輝度が変化することとなる。この図６に示した例では、第１の信号が「Ｈ」、第２の信号が「Ｌ」のとき発光素子２３は第１の輝度で発光する。また第１の信号が「Ｈ」、第２の信号が「Ｈ」のときは、発光素子２３は第２の輝度で発光する。
【００６８】
さらに図６に示した回路では第１の信号が「Ｌ」で、第２の信号が「Ｈ」のとき発光素子２３は第１の輝度で発光し、また第１の信号が「Ｌ」、第２の信号が「Ｌ」のときは、発光素子２３は消灯する。また、この図６の回路では、点Ｘと第３トランジスタＱ３のドレイン端子（Ｄ）との間に、第３の抵抗器を設けてもよい。このようにすると、第１の信号が「Ｌ」で、第２の信号が「Ｈ」のときの発光素子２３の発光輝度が第１，第２，第３の輝度のいずれとも異なる第４の輝度となる。これにより、発光素子２３を第１の信号に応じて第３の輝度とするときには、第２輝度制御手段としての第３トランジスタＱ３が、発光素子２３の発光輝度を、第１，第２の輝度とも、第３の輝度とも異なる第４の輝度となるように制御する。
【００６９】
本実施の形態の一態様に係る信号出力装置２は、以上の構成を備えており、次のように動作する。以下の説明では第１の信号が通電状態（電源のオン／オフ）を表す信号であるものとし、第２の信号がデバッグ情報を表す信号であるとする。デバッグ情報は例えばＮビット長（Ｎ＞１）のデータであり、第２の信号は毎秒ｎビットずつデバッグ情報を出力する信号であるとする。このｎは、例えばビット値の変化による明滅が人間の目に視認されない程度としてもよい。
【００７０】
この例では信号出力装置２の電源がオンとなると、第１の信号がオン（Ｈ）となる。また信号出力装置２は利用者からの指示を受けたタイミング、あるいは電源がオンとなった時点など、予め定められたタイミングでデバッグ情報を出力する。
【００７１】
すなわち信号出力装置２の機能部２１は、出力の対象となるデバッグ情報（Ｎビット長）に基づく第２の信号を出力する。また、この機能部２１は、当該デバッグ情報に対して、広く知られた誤り訂正または誤り検出符号（Ｌビット）を付加して（Ｎ＋Ｌ）ビット長の情報とし、この情報に基づく第２の信号を出力することとしてもよい。
【００７２】
一例としてこの出力される情報の一部が「１０１１００」となっているものとし、このビット値が「１」のときに第２の信号が「Ｈ」、ビット値が「０」のときに第２の信号が「Ｌ」となるよう、機能部２１が制御しているとすると、上記一部に対応する第２の信号は「ＨＬＨＨＬＬ」となる。
【００７３】
そこで発光制御回路２２が図２に例示した回路である場合は、図８に例示するように、第１の信号（ａ）が「Ｈ」である間に、第２の信号（ｂ）が毎秒ｎビットずつ出力される場合、第２の信号は１／ｎ秒ごとに…Ｈ→Ｌ→Ｈ→Ｈ→Ｌ→Ｌ…と逐次的に変化する。そこで発光素子２３の発光輝度は、第２の信号が「Ｈ」のときに第２の輝度となる。また第２の信号が「Ｌ」のときには発光素子２３の発光輝度は、第２の輝度よりもやや低い第１の輝度となる（図８（ｃ））。なお、第２の信号が出力されていない間は、発光素子２３はこの第１の輝度にて点灯している。
【００７４】
また、発光制御回路２２が図４（ａ）または（ｂ）に例示した回路である場合は、発光素子２３は、第２の信号が「Ｈ」のときに輝度「０」（第３の輝度）となる。また第２の信号が「Ｌ」のときには発光素子２３の発光輝度は第１の輝度となる（図８（ｄ））。なお、第２の信号が出力されていない（Ｌである）間、発光素子２３はこの第１の輝度にて点灯している。
【００７５】
なお図８では、説明のために第１の信号（ａ）が「Ｌ」となっている場合も併せて図示しているが、実際には第１の信号の状態が「Ｈ」または「Ｌ」のいずれかの状態にある間に第２の信号を出力することとして構わない。
【００７６】
つぎに信号受信装置３の各部について説明する。信号受信装置３のマイクロコンピュータ３１は、予め定められたプログラムを記憶しており、このプログラムに従って動作する。このマイクロコンピュータ３１は、受光素子３２が受光した光の強度を表す信号を受けて、これをディジタル値に変換する。そして当該変換して得たディジタル値から、信号出力装置２側における第１または第２の信号の値を再生する。この処理については後に述べる。
【００７７】
またこのマイクロコンピュータ３１は、発光素子３２を、予め定めたパターンで明滅するよう制御してもよい。この動作についても後に述べる。
【００７８】
発光素子３２は、例えば発光ダイオードであり、マイクロコンピュータ３１から入力される指示に従い、点灯あるいは消灯する。受光素子３３は、例えばフォトダイオード等の光センサであり、受けた光の強度（輝度）を検出し、当該輝度を表す信号を出力する。
【００７９】
情報出力部３４は、ＵＳＢ等のインタフェースであり、マイクロコンピュータ３１から入力される指示に従い、情報を外部に出力する。
【００８０】
ここでマイクロコンピュータ３１の動作について説明する。ここで信号受信装置３の受光素子３３は、信号出力装置２の発光素子２３が放射する光を受けるものとする。マイクロコンピュータ３１は、ＡＤＣ（Analog to Digital Converter）を内蔵し、受光素子３３が出力する信号を、予め定めたタイミングごとにディジタル値に変換して、当該変換したディジタル値を逐次的に記憶する。
【００８１】
マイクロコンピュータ３１は、記録したディジタル値の最小値と、最大値とを求める。またこのマイクロコンピュータ３１は演算した最小値と最大値との間にしきい値を定め、このしきい値を超える値が出力されているか否かにより、第１、第２の信号の状態を推定する。そしてマイクロコンピュータ３１は、当該推定の結果を、情報出力部３４を介して出力する。
【００８２】
例えば、図８（ｃ）に例示した輝度変化をする光を受光素子３３で受けた場合、１／ｎ秒ごとに受光素子３３の出力する信号をディジタル値に変換して記憶すると、受光条件などのばらつきから、記憶されるディジタル値は、例えば
233→115→240→244→117→122
というように変化するものとなる。そこでマイクロコンピュータ３１はこの最小値「１１５」と最大値「２４４」とを得てこれら最小値と最大値の和を２で除して得た「１７９．５」をしきい値として定める。
【００８３】
マイクロコンピュータ３１は、当該定めたしきい値を超える値が出力されているときには、信号出力装置２側から伝達された信号が「Ｈ」であった旨の情報を出力し、当該定めたしきい値を下回る値が出力されているときには信号が「Ｌ」であった旨の情報を出力する。従って上記の例のディジタル値からは、マイクロコンピュータ３１は、信号出力装置２側から伝達された信号の推定結果として「ＨＬＨＨＬＬ」の情報を得る。マイクロコンピュータ３１は、こうして推定した結果をそのまま、復号された情報として出力する。
【００８４】
また信号出力装置２が送信の対象となる情報に対して誤り符号または誤り検出符号を付している場合、マイクロコンピュータ３１は推定結果をそのまま出力するのではなく、推定の結果に対して誤り訂正（誤り訂正符号が付されている場合）を行うか、または誤り検出（誤り検出符号が付されている場合）を行って、情報を復号してもよい。そして誤りが訂正できた場合、または誤りが検出されなかったときには、当該復号した情報を外部に出力する。例えばマイクロコンピュータ３１は、外部としてディスプレイ等に復号した結果を表示する。これにより、信号出力装置２側の第２の情報が信号受信装置３側で復号され、表示等されることとなる。利用者はこの復号された情報を利用してデバッグ等の作業を行う。
【００８５】
また、図６に示した回路において、第１トランジスタＱ１のドレイン端子（Ｄ）（図中、点Ｘで示す）と、第３トランジスタＱ３のドレイン端子（Ｄ）との間に、第３の抵抗器を設けた場合など、第１、第２の信号の組み合せがとり得る４つの状態のそれぞれについて互いに異なる輝度の光を発光素子２３が放射する場合の信号受信装置３について説明する。
【００８６】
この場合の信号受信装置３は、基本的には既に述べたものと同様の構成をとるが、マイクロコンピュータ３１の動作が若干異なる。すなわちマイクロコンピュータ３１は、受光素子３３が出力する信号を、予め定めたタイミングごとにディジタル値に変換し、当該変換したディジタル値を逐次的に記憶する。
【００８７】
マイクロコンピュータ３１は、記録したディジタル値の最小値Ｖminと、最大値Ｖmaxとを求める。そしてＶmaxとＶminとの間に３つのしきい値を設定する。具体的にマイクロコンピュータ３１は、Ｖａ＝（Ｖmax−Ｖmin）／３、Ｖｂ＝２×（Ｖmax−Ｖmin）／３を求めて、第１のしきい値Ｔｈ１を、
Ｔｈ1＝（Ｖmax＋Ｖｂ）／２
と定める。また第２のしきい値Ｔｈ２を、
Ｔｈ2＝（Ｖａ＋Ｖｂ）／２
と定める。また第３のしきい値Ｔｈ３を、
Ｔｈ3＝（Ｖａ＋Ｖmin）／２
と定める。
【００８８】
そしてこのマイクロコンピュータ３１は、
第１のしきい値を超える値が出力されている場合は、第１、第２の信号の双方が「Ｈ」であると推定し、
第２のしきい値を超え、第１のしきい値を超えない値が出力されている場合は、第１の信号が「Ｈ」、第２の信号が「Ｌ」であると推定し、
第３のしきい値を超え、第２のしきい値を超えない値が出力されている場合は、第１の信号が「Ｌ」、第２の信号のが「Ｈ」であると推定し、
第３のしきい値を下回る値が出力されている場合は、第１、第２の信号の双方が「Ｌ」であると推定する。
【００８９】
そしてマイクロコンピュータ３１は、当該推定の結果を、情報出力部３４を介して出力する。なお、信号出力装置２が送信の対象となる第１、第２の信号にそれぞれ誤り訂正符号や誤り検出符号を含めている場合は、推定の結果である情報に、既に述べたように誤り訂正符号や誤り検出符号が含まれることとなる。この場合マイクロコンピュータ３１は、既に述べたと同様に、これらの符号を利用して第１，第２の情報を復号する。
【００９０】
またここまでの例では、信号出力装置２は、送信対象となる、例えばデバッグ情報等を送信するタイミングを別途設定され、ないし上記図２等の回路とは別の構成を用いて受け入れることとしていた。しかしながら、発光素子２３がＬＥＤ等、受光素子としても機能可能な素子であれば、この発光素子２３を受光素子として用い、指示を光変調された信号として受け入れて、当該指示に従って送信対象となる情報を送信することとしてもよい。
【００９１】
このような態様について、以下説明する。この態様の信号出力装置２は、図９に例示するように、機能部２１と、発光制御回路２２′と、発光素子２３と、デコーダ２４とを含んで構成される。なお、既に説明したものと同様の構成をとるものについては同じ符号を付している。
【００９２】
この例では、発光制御回路２２′及びデコーダ２４は、第１から第５の抵抗器Ｒ１１，Ｒ１２，Ｒ１３，Ｒ１４，Ｒ１５と、第１から第４のトランジスタＱ１１，Ｑ１２，Ｑ１３，Ｑ１４と、制御回路Ｌ１１とを含んで構成される。ここでトランジスタＱ１１，Ｑ１２，Ｑ１３，Ｑ１４はいずれもｎ型ＦＥＴである。
【００９３】
発光素子２３のアノード側には電源電圧が供給される。また発光素子２３のカソード側は、第１抵抗器１１と第２抵抗器１２とを介して、第３のトランジスタＱ１３のドレイン端子（Ｄ）に接続される。第１抵抗器１１と第２抵抗器１２とが接続される点には、第２トランジスタＱ１２のドレイン端子（Ｄ）が接続されている。この第２トランジスタＱ２のゲート端子（Ｇ）には第２の信号が供給される。
【００９４】
一方、制御回路Ｌ１１には、第３，第４の抵抗器Ｒ１３，Ｒ１４にて電源電圧を分圧した電位が供給される。またこの制御回路Ｌ１１は発光素子２３のカソード側にも接続されている。さらに制御回路Ｌ１１は、第４トランジスタＱ１４のドレイン端子（Ｄ）にも接続される。この第４トランジスタＱ１４のソース端子は、第３トランジスタＱ１３のゲート端子（Ｇ）と、第１トランジスタＱ１１のドレイン端子（Ｄ）とにそれぞれ接続される。第４トランジスタＱ１４のゲート端子（Ｇ）には、発光素子２３をオフとするときに「Ｈ」となる強制オフ信号が供給される。
【００９５】
第１のトランジスタＱ１１のドレイン端子（Ｄ）には、第５の抵抗器Ｒ１５を介して電源電圧が供給される。またこの第１のトランジスタＱ１１のゲート端子（Ｇ）には、第１の信号が供給される。第１から第４のトランジスタＱ１１，Ｑ１２，Ｑ１３，Ｑ１４のソース端子（Ｓ）はいずれも共通端子（ＧＮＤ）に接続されている。
【００９６】
そしてこの例の回路は次のように動作する。まず、強制オフ信号が「Ｌ」である状態（第４トランジスタＱ１４がオフの状態）について述べる。このときに第１の信号がオン（Ｈ）の状態となり、第２の信号がオフ（Ｌ）の状態であると、第１トランジスタＱ１１のドレイン端子（Ｄ）とソース端子（Ｓ）との間が導通状態となり、第３トランジスタＱ１３のゲート端子（Ｇ）電位が共通端子（ＧＮＤ）の電位（Ｌ）となって、そのドレイン端子（Ｄ）とソース端子（Ｓ）との間が導通しない状態となる。一方で第２トランジスタＱ１２のドレイン端子（Ｄ）とソース端子（Ｓ）間も導通していない状態となる。従って発光素子２３の輝度は「０」（オフ）となる。この例では、この輝度「０」が第１の輝度となる。
【００９７】
一方、第１の信号がオン（Ｈ）の状態となり、第２の信号もオン（Ｈ）の状態であると、第１，第２トランジスタＱ１１，Ｑ１２のドレイン端子（Ｄ）、ソース端子（Ｓ）間が導通状態となる。この場合、電流は発光素子２３、第１の抵抗器Ｒ１１を経て第２トランジスタＱ１２のソースからドレインへ流れ、そのまま共通端子（ＧＮＤ）に至ることとなる。つまり発光素子２３を流れる電流量は、発光素子２３の内部抵抗ｒと、第１の抵抗器Ｒ１１の抵抗値の和で決まる値となる。
【００９８】
さらに第１の信号がオフ（Ｌ）の状態となると、第１トランジスタＱ１１のドレイン端子（Ｄ）とソース端子（Ｓ）との間が導通しない状態となり、第３トランジスタＱ１３のゲート端子（Ｇ）の入力が「Ｈ」となる。そして第３トランジスタＱ１３のドレイン端子（Ｄ）とソース端子（Ｓ）との間が導通する。このとき、第２の信号もオフ（Ｌ）の状態であると、第２トランジスタＱ１２のドレイン端子（Ｄ）とソース端子（Ｓ）間が導通していない状態となる。従って電流は発光素子２３、第１の抵抗器Ｒ１１、第２の抵抗器Ｒ１２を通過して、第３トランジスタＱ１３のソースからドレインへ流れて共通端子（ＧＮＤ）に至ることとなる。つまり発光素子２３を流れる電流量は、発光素子２３の内部抵抗ｒと、第１の抵抗器Ｒ１１と、第２の抵抗器Ｒ１２との抵抗値の和で決まる値となる。この値は、発光素子２３の内部抵抗ｒと、第１の抵抗器Ｒ１１の抵抗値の和で決まる値よりも小さい。つまり、第１の信号がオン（Ｈ）の状態となり、第２の信号もオン（Ｈ）の状態であるときの発光素子２３の輝度（第２の輝度）よりも、第１の信号がオフ（Ｌ）かつ、第３の信号もオフ（Ｌ）であるときの発光素子２３の輝度は、暗い輝度（第３の輝度）となる。
【００９９】
一方、第１の信号がオフ（Ｌ）の状態のとき、第２の信号がオン（Ｈ）の状態であると、第２トランジスタＱ１２のドレイン端子（Ｄ）とソース端子（Ｓ）間が導通し、電流は発光素子２３、第１の抵抗器Ｒ１１を経て第２トランジスタＱ１２のドレイン端子からソース端子へ流れ、そのまま共通端子（ＧＮＤ）に至ることとなる。つまり発光素子２３を流れる電流量は、発光素子２３の内部抵抗ｒと、第１の抵抗器Ｒ１１の抵抗値の和で決まる値となる。つまり、この場合の発光素子２３の輝度は、第２の輝度と同じになる。
【０１００】
すなわちこの図９に例示した回路によると、第１、第２の信号の状態に応じて図１０に例示するように発光素子２３の発光輝度が変化することとなる。つまり第１の信号が「Ｈ」であるとき、第２の信号が「Ｌ」の場合は、発光素子２３は消灯する（この例では消灯時の輝度が第１輝度となる）。また第１の信号が「Ｈ」であるときに第２の信号が「Ｈ」となると、発光素子２３は第２の輝度で発光する。
また、第１の信号が「Ｌ」であるとき、第２の信号が「Ｌ」の場合は、発光素子２３は第３の輝度で発光する。さらに第１の信号が「Ｌ」であるときに第２の信号が「Ｈ」となると、発光素子２３は第２の輝度で発光する。
【０１０１】
なお、強制オフ信号が「Ｈ」となると、第４トランジスタＱ１４のドレイン端子（Ｄ）とソース端子（Ｓ）との間が導通状態となって、第３トランジスタＱ１３のゲート端子（Ｇ）電位が共通端子（ＧＮＤ）の電位（Ｌ）となって、そのドレイン端子（Ｄ）とソース端子（Ｓ）との間が導通しない状態となる。つまり、第１の信号が「Ｈ」であると同じ状態になる。このため第２の信号がＬ（オフ）であれば、強制オフ信号が「Ｈ」である間は、第１の信号がどうであっても、発光素子２３は消灯した状態に固定される。
【０１０２】
制御回路Ｌ１１は、第４トランジスタＱ１４のドレイン端子（Ｄ）電位が共通端子（ＧＮＤ）の電位に等しくなる（第３トランジスタＱ１３のゲート端子（Ｇ）電位が共通端子（ＧＮＤ）の電位（Ｌ）となって、そのドレイン端子（Ｄ）とソース端子（Ｓ）との間が導通しない状態となる）ときに、発光素子２３のカソード側の電位と、第３，第４の抵抗器Ｒ１３，Ｒ１４にて電源電圧を分圧した電位（基準電位）とを比較し、当該比較の結果を出力する。
【０１０３】
すなわち発光素子２３をＬＥＤとする場合、このＬＥＤが消灯している状態で、これに光を照射するとアノード・カソード間の電位が、光が当っていないときにくらべて変化する。そこで基準電位を、発光素子２３に光を照射したときの電位と、照射しないときの電位との間に設定しておく（第３，第４の抵抗器Ｒ１３，Ｒ１４の抵抗値を適宜調整する）。そして制御回路Ｌ１１でカソード側の電位と上記基準電位とを比較することで、発光素子２３に光が照射されているか否かを検出する。
【０１０４】
本実施の形態のある例では、この制御回路Ｌ１１は、発光素子２３に照射された光の明滅が予め定められたパターンに従って変化する光信号であるときに、当該パターンに従った明滅があったことを検出して、第２の信号の出力を開始するべき旨の指示を機能部２１に出力し、機能部２１がこの指示に従って第２の信号の出力を開始してもよい。
【０１０５】
具体的に制御回路Ｌ１１は、第４トランジスタＱ１４のドレイン端子（Ｄ）電位が共通端子（ＧＮＤ）の電位（Ｌ）となっている期間を、発光素子２３が消灯している（オフとなっている）期間として、この期間内に発光素子２３のカソード側の電位と基準電位とを比較して、その比較の結果をそれぞれＨまたはＬレベルの信号で表して出力する。制御回路Ｌ１１は、この信号のレベルの変化が予め定めたパターン（例えばＨ→Ｌ→Ｈ→Ｌと変化するパターン）となっているか否かを調べる。例えば予め定められたタイミングごとのこの信号のレベルを取り出して、当該取り出した信号のレベルが予め定めたパターンとなっているか否かを調べればよい。
【０１０６】
制御回路Ｌ１１は、信号のレベルの変化が予め定めたパターンに合致していれば、第２の信号の出力を開始するべき旨の指示を機能部２１に出力し、機能部２１がこの指示に従って第２の信号の出力を開始する。このようにすることで発光素子２３は、第１の信号に応じてオフとなるときであって、かつ、第２の信号に応じた制御が行われていない（第２のトランジスタＱ１２がオフである）ときに、外部から光信号を受信する受光素子として動作する。
【０１０７】
また発光素子２３に光信号を受信させる際には、強制オフ信号を「Ｈ」に設定してもよい。この設定はスイッチ等によって行ってもよいし、また電源投入後予め定められた時間内など、予め定めたタイミングで強制オフ信号が「Ｈ」となるよう、例えば機能部２１がこの強制オフ信号を制御してもよい。
【０１０８】
なお、ここでの予め定めたパターンの光信号は、信号受信装置３が放射してもよい。この例の信号受信装置３のマイクロコンピュータ３１は利用者から指示が入力されると、上記予め定めたパターンで発光素子３２を明滅させる。例えば時間ΔＴごとにＨ→Ｌ→Ｈ→Ｌと変化するパターンである場合は、マイクロコンピュータ３１は、ΔＴごとに発光素子３２を、点灯→消灯→点灯→消灯となるよう制御する。
【０１０９】
この場合、信号出力装置２の制御回路Ｌ１１は、第４トランジスタＱ１４のドレイン端子（Ｄ）電位が共通端子（ＧＮＤ）の電位（Ｌ）となっている期間（発光素子２３がオフとなっている期間）内に発光素子２３のカソード側の電位と基準電位とを比較する。そして制御回路Ｌ１１は当該比較の結果を、カソード側電位が基準電位より高いときに「Ｈ」、カソード側電位が基準電位より低いときに「Ｌ」と変化する信号として出力し、この信号を予め定められたタイミングとしてΔＴごとのこの信号のレベルを取り出す。そして、当該取り出した信号のレベルが予め定めたパターンであるＨ→Ｌ→Ｈ→Ｌと変化するパターンに一致するか否かを調べる。ここでこのパターンに一致したときには制御回路Ｌ１１は、機能部２１に対して第２の信号を出力させる。そして以降は、第１の信号と第２の信号とに基づく発光素子２３の明滅が行われ、信号が発光素子２３の明滅により出力される。
【０１１０】
このように本実施の形態ではある信号（第１の信号）により明滅が制御されているＬＥＤ等の発光素子について、これとは別の、出力対象となる信号（第２の信号）によりさらに当該発光素子の輝度を制御して、第１の信号の出力に第２の信号の出力を重畳することとなり、第２の信号のための発光素子等を設けることなくコストの増大を抑え、また第１の信号に重畳されることでユーザにその存在を容易に感得させることなくデバッグ情報等第２の信号を出力できる。
【符号の説明】
【０１１１】
１  情報送受信システム、２  信号出力装置、３  信号受信装置、２１  機能部、２２  発光制御回路、２３  発光素子、２４  デコーダ、３１  マイクロコンピュータ、３２  発光素子、３３  受光素子、３４  情報出力部。
【図１】
2013150078.tif 000003
【図２】
2013150078.tif 000004
【図３】
2013150078.tif 000005
【図４】
2013150078.tif 000006
【図５】
2013150078.tif 000007
【図６】
2013150078.tif 000008
【図７】
2013150078.tif 000009
【図８】
2013150078.tif 000010
【図９】
2013150078.tif 000011
【図１０】
2013150078.tif 000012
【手続補正書】
【提出日】平成25年1月21日(2013.1.21)
【手続補正１】
【補正対象書類名】明細書
【補正対象項目名】００２７
【補正方法】変更
【補正の内容】
【００２７】
一方、第１の信号がオン（Ｈ）の状態となり、第２の信号もオン（Ｈ）の状態（第１の状態に相当する）であると、第１トランジスタＱ１のドレイン端子（Ｄ）とソース端子（Ｓ）との間が導通し、第２トランジスタＱ２も、そのドレイン端子（Ｄ）とソース端子（Ｓ）間が導通する。この場合（第２トランジスタＱ２の内部抵抗が、第２抵抗器Ｒ２の抵抗値に比べて無視できるとすれば）、電流は第１の抵抗器Ｒ１、発光素子２３を通過して、第２トランジスタＱ２のドレインからソースへ流れ、そのまま共通端子（ＧＮＤ）に至る。つまり発光素子２３を流れる電流量は発光素子２３の内部抵抗ｒと、第１の抵抗器Ｒ１の抵抗値の和で決まる値となる。これは、発光素子２３の内部抵抗ｒと、第１、第２抵抗器Ｒ１，Ｒ２の抵抗値の和で決まる値よりも大きい値である。
【手続補正２】
【補正対象書類名】明細書
【補正対象項目名】００３０
【補正方法】変更
【補正の内容】
【００３０】
そしてこの第１信号がオフ（Ｌ）のときに、第２の信号がオン（Ｈ）になると、第２トランジスタＱ２のドレイン端子（Ｄ）とソース端子（Ｓ）間が導通するので（第２トランジスタＱ２の内部抵抗を無視できるとすれば）、電流は第１の抵抗器Ｒ１、発光素子２３を通過して、第２トランジスタＱ２のドレインからソースへ流れ、そのまま共通端子（ＧＮＤ）に至ることとなる。つまり発光素子２３を流れる電流量は発光素子２３の内部抵抗ｒと、第１の抵抗器Ｒ１の抵抗値の和で決まる値となる。このときの輝度は、第１の信号がオン（Ｈ）の状態となり、第２の信号もオン（Ｈ）の状態である場合と変わらず、第２の輝度となる。
【手続補正３】
【補正対象書類名】明細書
【補正対象項目名】００３５
【補正方法】変更
【補正の内容】
【００３５】
この図４（ａ）に例示した回路において、第１の信号がオン（Ｈ）の状態となり、第２の信号がオフ（Ｌ）の状態であると、第１トランジスタＱ１のゲート端子（Ｇ）にはインバータ回路Ｌ１を通じてオフの信号が入力される。従って第１トランジスタＱ１のドレイン端子（Ｄ）とソース端子（Ｓ）との間が導通しない状態となる。一方、第２トランジスタＱ２のゲート端子（Ｇ）には、インバータ回路Ｌ２を通じてオン（Ｈ）の信号が入力される。従って第２トランジスタＱ２のドレイン端子（Ｄ）とソース端子（Ｓ）間が導通するので（第２トランジスタＱ２の内部抵抗を無視できるとすれば）、電流は第１の抵抗器Ｒ１、発光素子２３、第２の抵抗器Ｒ２を通過して、第２トランジスタＱ２のドレインからソースへ流れて共通端子（ＧＮＤ）に至ることとなる。つまり発光素子２３を流れる電流量は、発光素子２３の内部抵抗ｒと、第１の抵抗器Ｒ１と、第２の抵抗器Ｒ２との抵抗値の和で決まる値となる。
【手続補正４】
【補正対象書類名】明細書
【補正対象項目名】００６４
【補正方法】変更
【補正の内容】
【００６４】
第１の信号がオン（Ｈ）の状態となり、第２の信号もオン（Ｈ）の状態であると、ＡＮＤ回路Ａの出力は「Ｈ」となる。このときには、第１，第２，第３トランジスタＱ１，Ｑ２，Ｑ３のいずれのゲート端子（Ｇ）も「Ｈ」の状態となるので、第１，第２，第３トランジスタＱ１，Ｑ２，Ｑ３のいずれのドレイン端子（Ｄ）、ソース端子（Ｓ）間も導通した状態となる。この場合は（第２トランジスタＱ２の内部抵抗を無視できるとすれば）、電流は第１の抵抗器Ｒ１、発光素子２３を通過して、第２トランジスタＱ２のドレインからソースへ流れ、そのまま共通端子（ＧＮＤ）に至ることとなる。つまり発光素子２３を流れる電流量は発光素子２３の内部抵抗ｒと、第１の抵抗器Ｒ１の抵抗値の和で決まる値となる。この値は、発光素子２３の内部抵抗ｒと、第１、第２抵抗器Ｒ１，Ｒ２の抵抗値の和で決まる値よりも大きい。つまり、第１の信号がオン（Ｈ）の状態となり、第２の信号もオン（Ｈ）の状態であるときの発光素子２３の輝度は、第１の信号がオン（Ｈ）の状態となり、第２の信号がオフ（Ｌ）の状態であるときの発光素子２３の輝度（第１の輝度）よりも明るい輝度（第２の輝度）となる。
【手続補正５】
【補正対象書類名】明細書
【補正対象項目名】００６６
【補正方法】変更
【補正の内容】
【００６６】
また第１の信号がオフ（Ｌ）のときに、第２の信号がオン（Ｈ）になるときにはＡＮＤ回路Ａの出力は「Ｌ」となる。第１，第２トランジスタＱ１，Ｑ２の各ゲート端子（Ｇ）には「Ｌ」の信号が入力されて、これら第１，第２トランジスタＱ１，Ｑ２のドレイン端子（Ｄ）とソース端子（Ｓ）との間が導通しない状態となる。しかし第３トランジスタＱ３のゲート端子（Ｇ）は「Ｈ」の状態となるので、第３トランジスタＱ３のいずれのドレイン端子（Ｄ）、ソース端子（Ｓ）間は導通した状態となる。このときは、電流は第１の抵抗器Ｒ１、発光素子２３を通過して、第３トランジスタＱ３のドレインからソースへ流れ、そのまま共通端子（ＧＮＤ）に至ることとなる。つまり発光素子２３を流れる電流量は発光素子２３の内部抵抗ｒと、第１の抵抗器Ｒ１の抵抗値の和で決まる値となる。つまり、このときの発光素子２３の輝度は第１の輝度と同じである。
【手続補正６】
【補正対象書類名】明細書
【補正対象項目名】００７６
【補正方法】変更
【補正の内容】
【００７６】
つぎに信号受信装置３の各部について説明する。信号受信装置３のマイクロコンピュータ３１は、予め定められたプログラムを記憶しており、このプログラムに従って動作する。このマイクロコンピュータ３１は、受光素子３３が受光した光の強度を表す信号を受けて、これをディジタル値に変換する。そして当該変換して得たディジタル値から、信号出力装置２側における第１または第２の信号の値を再生する。この処理については後に述べる。
【手続補正７】
【補正対象書類名】明細書
【補正対象項目名】００９３
【補正方法】変更
【補正の内容】
【００９３】
発光素子２３のアノード側には電源電圧が供給される。また発光素子２３のカソード側は、第１抵抗器１１と第２抵抗器１２とを介して、第３のトランジスタＱ１３のドレイン端子（Ｄ）に接続される。第１抵抗器１１と第２抵抗器１２とが接続される点には、第２トランジスタＱ１２のドレイン端子（Ｄ）が接続されている。この第２トランジスタＱ１２のゲート端子（Ｇ）には第２の信号が供給される。
【手続補正８】
【補正対象書類名】明細書
【補正対象項目名】００９４
【補正方法】変更
【補正の内容】
【００９４】
一方、制御回路Ｌ１１には、第３，第４の抵抗器Ｒ１３，Ｒ１４にて電源電圧を分圧した電位が供給される。またこの制御回路Ｌ１１は発光素子２３のカソード側にも接続されている。さらに制御回路Ｌ１１は、第４トランジスタＱ１４のドレイン端子（Ｄ）にも接続される。この第４トランジスタＱ１４のドレイン端子（Ｄ）は、第３トランジスタＱ１３のゲート端子（Ｇ）と、第１トランジスタＱ１１のドレイン端子（Ｄ）とにそれぞれ接続される。第４トランジスタＱ１４のゲート端子（Ｇ）には、発光素子２３をオフとするときに「Ｈ」となる強制オフ信号が供給される。
【手続補正９】
【補正対象書類名】明細書
【補正対象項目名】００９７
【補正方法】変更
【補正の内容】
【００９７】
一方、第１の信号がオン（Ｈ）の状態となり、第２の信号もオン（Ｈ）の状態であると、第１，第２トランジスタＱ１１，Ｑ１２のドレイン端子（Ｄ）、ソース端子（Ｓ）間が導通状態となる。この場合、電流は発光素子２３、第１の抵抗器Ｒ１１を経て第２トランジスタＱ１２のドレインからソースへ流れ、そのまま共通端子（ＧＮＤ）に至ることとなる。つまり発光素子２３を流れる電流量は、発光素子２３の内部抵抗ｒと、第１の抵抗器Ｒ１１の抵抗値の和で決まる値となる。
【手続補正１０】
【補正対象書類名】明細書
【補正対象項目名】００９８
【補正方法】変更
【補正の内容】
【００９８】
さらに第１の信号がオフ（Ｌ）の状態となると、第１トランジスタＱ１１のドレイン端子（Ｄ）とソース端子（Ｓ）との間が導通しない状態となり、第３トランジスタＱ１３のゲート端子（Ｇ）の入力が「Ｈ」となる。そして第３トランジスタＱ１３のドレイン端子（Ｄ）とソース端子（Ｓ）との間が導通する。このとき、第２の信号もオフ（Ｌ）の状態であると、第２トランジスタＱ１２のドレイン端子（Ｄ）とソース端子（Ｓ）間が導通していない状態となる。従って電流は発光素子２３、第１の抵抗器Ｒ１１、第２の抵抗器Ｒ１２を通過して、第３トランジスタＱ１３のドレインからソースへ流れて共通端子（ＧＮＤ）に至ることとなる。つまり発光素子２３を流れる電流量は、発光素子２３の内部抵抗ｒと、第１の抵抗器Ｒ１１と、第２の抵抗器Ｒ１２との抵抗値の和で決まる値となる。この値は、発光素子２３の内部抵抗ｒと、第１の抵抗器Ｒ１１の抵抗値の和で決まる値よりも小さい。つまり、第１の信号がオン（Ｈ）の状態となり、第２の信号もオン（Ｈ）の状態であるときの発光素子２３の輝度（第２の輝度）よりも、第１の信号がオフ（Ｌ）かつ、第３の信号もオフ（Ｌ）であるときの発光素子２３の輝度は、暗い輝度（第３の輝度）となる。